(57)【要約】【課題】ペンタルーフの軽量化を図るとともに、組み立てコストが低減されたファインダ画面用のスーパーインポーズ装置を提供する。【解決手段】一眼レフカメラのファインダ光学系にペンタルーフミラーを用いる。撮像レンズから入射された光をクイックリターンミラー１０で反射して、焦点板１１に結像させる。ペンタルーフ１２に設けられたダハミラー１３およびハーフミラーである第３反射面１４で反射された焦点板１１の被写体像をファインダ１５の接眼光学系１６を通して観察する。第３反射面を構成するミラーを三角プリズムと一体成形し、第３反射面一体プリズム１８とする。光源部２０から照射された光を投光ミラー２１に反射させるとともに、投光レンズ２２を通して三角プリズム１７に入射させる。第３反射面１４を通して反射面１７Ｒで反射された光を接眼光学系１６の光軸に沿ってペンタルーフ内に射出する。【選択図】図１
2007293200.tif 000002
【特許請求の範囲】
【請求項１】
ペンタゴナル・ルーフ・ミラーを用いたカメラのファインダ光学系に用いられるスーパーインポーズ装置であって、
投光用の光源と、
前記ペンタゴナル・ルーフ・ミラーの第３反射面を構成するハーフミラーと、
前記光源からの光を反射して前記第３反射面から接眼光学系に向けて射出する三角プリズムとを備え、
前記ハーフミラーと前記三角プリズムが一体的に成形される
ことを特徴とするスーパーインポーズ装置。
【請求項２】
前記光源と前記三角プリズムとの間に投光レンズが配置されたことを特徴とする請求項１に記載のスーパーインポーズ装置。
【請求項３】
前記三角プリズムの前記光源からの光の入射面が投光レンズとして機能するように湾曲されていることを特徴とする請求項１に記載のスーパーインポーズ装置。
【発明の詳細な説明】
【技術分野】
【０００１】
本発明は、ファインダを通して観察される画像に各種情報をスーパーインポーズする装置に関する。
【背景技術】
【０００２】
一眼レフカメラのファインダでは、焦点板に結像された被写体像が、ペンタゴナルダハプリズムを介して観察される。ファインダを通して観察される被写体像に測距点や測距エリアなどの情報をスーパーインポーズする方法としてペンタゴナルダハプリズムの第３反射面から光を入射し、被写体像に測距点や測距エリアをスーパーインポーズするものが知られている（特許文献１）。一方、ペンタゴナルダハプリズムの代わりに、反射面をミラーで構成したペンタゴナル・ルーフ・ミラーを用いたファインダも知られている。
【特許文献１】特開２０００−８９３３６号公報
【発明の開示】
【発明が解決しようとする課題】
【０００３】
しかし、特許文献１の構造では、ペンタゴナルダハプリズムの第３反射面に対して、スーパーインポーズ用の投光用の三角プリズムを高い精度で配置する必要があるため、光学的位置出しに手間が掛かり、部品点数も増大する。
【０００４】
本発明は、ファインダの軽量化を図るとともに、組み立てコストが低減されたファインダ画面用のスーパーインポーズ装置を提供することを課題としている。
【課題を解決するための手段】
【０００５】
本発明に係るスーパーインポーズ装置は、ペンタゴナル・ルーフ・ミラーを用いたカメラのファインダ光学系に用いられるスーパーインポーズ装置であって、投光用の光源と、ペンタゴナル・ルーフ・ミラーの第３反射面を構成するハーフミラーと、光源からの光を反射して第３反射面から接眼光学系に向けて射出する三角プリズムとを備え、ハーフミラーと三角プリズムが一体的に成形されたことを特徴としている。
【０００６】
スーパーインポーズ装置において、例えば光源と三角プリズムとの間に投光レンズが配置される。また更に、三角プリズムの光源からの光の入射面が投光レンズとして機能するように湾曲され、ハーフミラー、三角プリズム、投光レンズが一体成形される。
【発明の効果】
【０００７】
以上のように、本発明によれば、ファインダの軽量化を図るとともに、組み立てコストが低減されたファインダ画面用のスーパーインポーズ装置を提供することができる。
【発明を実施するための最良の形態】
【０００８】
以下、本発明の実施の形態を、図面を参照して説明する。
図１は、本発明の第１実施形態におけるファインダ光学系を含むファインダ画面用のスーパーインポーズ装置の構造の概略を示す側断面図である。
【０００９】
本実施形態のファインダ光学系には、ペンタゴナル・ルーフ・ミラーが用いられる。ペンタゴナル・ルーフ・ミラーは、ダハミラー（第１および第２反射面）１３を有するペンタルーフ部１２と、後述する第３反射面１４を有する第３反射面一体プリズム１８とから構成されている。撮影レンズを通して入射された光は、クイックリターンミラー１０において焦点板１１に向けて反射され、焦点板１１に被写体像を形成する。焦点板１１の上方には、ペンタルーフ部１２が設けられ、焦点板１１からの光は、ペンタルーフ部１２のダハミラー１３で反射された後、ハーフミラーである第３反射面１４においてファインダ１５の接眼光学系１６に向けて反射される。すなわち、ユーザは、ファインダ１５に設けられた接眼光学系１６を通して焦点板１１に投影された被写体像を観察することができる。
【００１０】
本実施形態において、第３反射面１４をなすハーフミラーの裏側には投光用の三角プリズム１７が一体的に形成され、第３反射面一体プリズム１８を構成する。また、第３反射面一体プリズム１８は、ファインダ画面に光源からの光をスーパーインポーズするための投光ユニット１９に連結され、投光光学系を構成する。
【００１１】
投光ユニット１９の投光光学系は、光源部２０、投光ミラー２１、投光レンズ２２、および第３反射面一体プリズム１８から主に構成される。光源部２０は、複数のＬＥＤ２３と、各ＬＥＤ２３に対応する位置に所定の大きさの穿孔が設けられ、これらの穿孔から拡散光を照射する拡散シート２４を備える。
【００１２】
拡散シート２４を通過した光は、投光ミラー２１において反射され、投光レンズ２２に入射される。投光レンズ２２からの光（光束）は三角プリズム１７に入射され、反射面１７Ｒにおいて反射されて第３反斜面１４からペンタルーフ部１２内へ接眼光学系１６の光軸にほぼ平行に接眼光学系１６に向けて射出される。
【００１３】
これにより、拡散シート２４の各穿孔から射出された光は第３反射面１４で反射された被写体像にスーパーインポーズされる。なお、拡散シート２４の各穿孔から照射された光は、ファインダ画面において例えば測距が行われる測距点に対応する位置にそれぞれスーパーインポーズされ、現在測距に用いられている領域を表示したり、測距に用いる領域を選択したりするのに用いられる。
【００１４】
図２、図３は、ペンタルーフ部１２と第３反射面一体プリズム１８を斜め下側（クイックリターンミラー側）から見た斜視図である。図２は、第３反射面一体プリズム１８をペンタルーフ部１２に取り付ける前の図であり、図３は第３反射面一体プリズム１８をペンタルーフ部１２に取り付けた後の図である。
【００１５】
図３に示されるように、第３反射面一体プリズム１８は、固定テープ２５により、ペンタルーフ部１２の第３反射面１４に対応する位置に取り付けられ固定される。また、図１に示されるように、投光ユニット１９の光源部２０、投光ミラー２１、投光レンズ２２は投光ユニット１９のハウジングに装置されており、投光ユニット１９のハウジングと第３反射面一体プリズム１８との位置関係は、ハウジングに設けられたプリズムマウント部２６に三角プリズム１７の反射面１７Ｒを当接させることにより位置決めされる。
【００１６】
以上のように、第１実施形態のファインダ画面用のスーパーインポーズ装置によれば、第３反射面を構成するミラーと投光用の三角プリズムを一体成形することで、部品点数を削減することができるとともに、位置決めにかかる時間を短縮することができ、製造コストを削減できる。
【００１７】
次に図４を参照して本発明の第２実施形態について説明する。図４は第２実施形態におけるファインダ光学系を含むファインダ画面用のスーパーインポーズ装置の構造の概略を示す側断面図である。
【００１８】
第２実施形態のファインダ画面用のスーパーインポーズ装置は、第１実施形態の投光用レンズ２２と第３反射面一体プリズム１８が更に一体化されたもので、その他の構造は第１実施形態と同様である。したがって、第１実施形態と同様の構成については同一参照符号を用い、その説明を省略する。
【００１９】
図４に示されるように、光学素子３０は、投光レンズ、投光用三角プリズム、第３反射面１４のミラーが一体成形されたものである。すなわち、第１実施形態の第３反射面一体プリズム１８における投光ミラー２１側の入射面３１が湾曲面とされ、レンズとしての役割を果たす。
【００２０】
以上により、本発明の第２実施形態によれば、第１実施形態と同様の効果が得られるとおもに、投光レンズが更に一体化されていることから、部品点数を更に低減することができ、コストを削減することができる。
【図面の簡単な説明】
【００２１】
【図１】本発明の第１実施形態におけるファインダ光学系を含むファインダ画面用のスーパーインポーズ装置の構造の概略を示す側断面図である。
【図２】第３反射面一体プリズムをペンタルーフ部に取り付ける前の斜視図である。
【図３】第３反射面一体プリズムをペンタルーフ部に取り付けた後の斜視図である。
【図４】本発明の第２実施形態におけるファインダ光学系を含むファインダ画面用のスーパーインポーズ装置の構造の概略を示す側断面図である。
【符号の説明】
【００２２】
１０  クイックリターンミラー
１１  焦点板
１２  ペンタルーフ部
１３  ダハミラー（第１、第２反射面）
１４  第３反射面
１５  ファインダ
１６  接眼光学系
１７  三角プリズム
１８  第３反射面一体プリズム
１９  投光ユニット
２０  光源部
２１  投光ミラー
２２  投光レンズ
２３  ＬＥＤ
２４  拡散シート
【図１】
2007293200.tif 000003
【図２】
2007293200.tif 000004
【図３】
2007293200.tif 000005
【図４】
2007293200.tif 000006